(57)【要約】【課題】原稿整合時間の短縮を図り、原稿読み取り処理効率の低下を極力抑えたステープル処理機能付きの原稿読取装置を提供する。【解決手段】ステープル処理用原稿排出トレイ２８には、原稿搬送方向Ｘ下流側の端部に配置された原稿搬送方向に往復移動可能な原稿先端整合部材５１、原稿搬送方向Ｘ上流側の端部に配置された原稿搬送方向に往復移動可能な原稿後端整合部材５２、原稿搬送方向Ｘに直交する左右方向の一方向の端部に固定配置された固定原稿側端整合部材５３、左右方向の他方向の端部に配置された左右方向に往復移動可能な上流側移動原稿側端整合部材５４Ａ及び下流側移動原稿側端整合部材５４Ｂ、及びステープルユニット６０が配置されている。【選択図】図４
2009005277.tif 000002
【特許請求の範囲】
【請求項１】
原稿積載台に積載される原稿を１枚ずつ原稿搬送路に搬送し、前記原稿搬送路中に配置される原稿読み取り部で原稿中の画像情報を読み取った後に原稿排出部に排出する原稿搬送機構を備えた原稿読取装置において、
前記原稿排出部は、通常の原稿排出トレイと、ステープル処理用原稿排出トレイと、前記両トレイへの原稿排出方向を切り換える原稿分岐爪とを有し、前記読み取りが終了した原稿の排出時にステープル処理の要否に応じて前記原稿分岐爪の切り換え方向を決定し、その決定結果に基づいて前記原稿分岐爪を切り換えることにより両トレイへの排出選択を行うことを特徴とする原稿読取装置。
【請求項２】
前記ステープル処理用原稿排出トレイには、原稿搬送方向下流側の端部に配置された原稿搬送方向に往復移動可能な原稿先端整合部材、原稿搬送方向上流側の端部に配置された原稿搬送方向に往復移動可能な原稿後端整合部材、原稿搬送方向に直交する左右方向の一方の端部に固定配置された固定原稿側端整合部材、前記左右方向の他方の端部に配置された左右方向に往復移動可能な上流側移動原稿側端整合部材及び下流側移動原稿側端整合部材、及びステープルユニットが配置されていることを特徴とする請求項１に記載の原稿読取装置。
【請求項３】
排出原稿が長尺原稿の場合、前記原稿先端整合部材は当該排出原稿の整合基準位置となるように位置固定されると共に、前記原稿後端整合部材は前記排出原稿を整合するように用紙搬送方向下流側に移動することを特徴とする請求項２に記載の原稿読取装置。
【請求項４】
前記原稿後端整合部材によって前記排出原稿の後端を整合した後、前記上流側移動原稿側端整合部材及び下流側移動原稿側端整合部材を前記固定原稿側端整合部材の方向に移動して前記排出原稿の側端を整合することを特徴とする請求項３に記載の原稿読取装置。
【請求項５】
前記原稿先端整合部材が排出原稿の整合基準位置として位置固定される位置は原稿搬送方向の最下流部であることを特徴とする請求項３または請求項４に記載の原稿読取装置。
【請求項６】
排出原稿が短尺原稿の場合、前記原稿後端整合部材は当該排出原稿の整合基準位置となるように位置固定されると共に、前記原稿先端整合部材は前記排出原稿を整合するように用紙搬送方向上流側に移動することを特徴とする請求項２ないし請求項４のいずれか１項に記載の原稿読取装置。
【請求項７】
前記原稿先端整合部材によって前記排出原稿の先端を整合した後、前記上流側移動原稿側端整合部材を前記固定原稿側端整合部材の方向に移動して前記排出原稿の側端を整合することを特徴とする請求項６に記載の原稿読取装置。
【請求項８】
前記原稿後端整合部材が排出原稿の整合基準位置として位置固定される位置は原稿搬送方向の最上流部であることを特徴とする請求項５に記載の原稿読取装置。
【請求項９】
排出原稿が短尺原稿の場合、全ての原稿が排出及び整合された後、前記原稿先端整合部材を原稿束のステープル処理位置まで原稿搬送方向下流側に移動して固定し、前記原稿後端整合部材を、整合された原稿束の後端部を押しながら原稿搬送方向下流側に移動して、固定した前記原稿先端整合部材に前記原稿束の先端部を当接させることを特徴とする請求項５または請求項６に記載の画像読取装置。
【請求項１０】
前記排出原稿の先端部を前記原稿先端整合部材に当接させた後、前記下流側移動原稿側端整合部材を前記固定原稿側端整合部材の方向に移動して前記排出原稿の側端を整合することを特徴とする請求項９に記載の原稿読取装置。
【発明の詳細な説明】
【技術分野】
【０００１】
本発明は、原稿積載台に積載される原稿を１枚ずつ原稿搬送路に搬送し、前記原稿搬送路中に配置される原稿読み取り部で原稿中の画像情報を読み取った後に原稿排出部に排出する原稿搬送機構を備えた原稿読取装置に関する。
【背景技術】
【０００２】
従来の原稿読取装置には、原稿固定方式と原稿移動方式の両方式がある。
【０００３】
原稿固定方式の原稿読取装置では、例えばステープル処理をされた原稿を読み取るときに、ステープルを取り外して読み取り処理を行うのが一般的であるが、ステープルを取り外さなくても、原稿の一端部を折り曲げて、１枚ずつの原稿を読み取ることも可能である。
【０００４】
一方、原稿移動方式の原稿読取装置では、１枚ずつの原稿を原稿積載台から原稿搬送路に搬送し、原稿の搬送過程で光学ユニットを用いて原稿中の画像情報を読み取ることから、ステープル処理を施した状態の原稿束は原稿搬送路中で原稿ＪＡＭとなったり、原稿給紙時点で原稿へのシワ発生や、破れ発生等の問題を引き起こすことになる。そのため、ステープル処理されている原稿束については、ステープル等を取り外してから原稿束を原稿載置台に載置する必要がある。この場合、取り外したステープル等が原稿束内に残り、これが原稿搬送路に侵入することで上記の原稿ＪＡＭ等が発生する可能性がある。そこで、この問題を解決するために、原稿が走行する経路に対向して永久磁石を配置することで、読み取り原稿中のステープルやクリップ等の異物を吸着し、原稿搬送路内への侵入を防止するようにしたファクシミリ付き電話機が提案されている（例えば、特許文献１参照）。
【特許文献１】特開昭６２−２９２６８号公報
【発明の開示】
【発明が解決しようとする課題】
【０００５】
このファクシミリ付き電話機によれば、読み取り開始前に原稿積載台に積載された原稿束中の異物を除去できることから、斜め搬送等の異常のない原稿搬送を行うことができる。しかし、ステープルの取り除かれた原稿束の読み取り終了後は、その原稿束を再びステープル処理する必要があるが、原稿束の読み取り終了後に、当該原稿束の端部に再度ステープル処理を施す装置は、現在のところ提案されていない。これは、従来のステープル処理装置を原稿読取装置にそのまま配置すると、読み取り原稿をステープルするための整合工程に長時間を要するため、原稿読み取り処理効率が低下してしまうことが原因である。
【０００６】
本発明はかかる実情に鑑みて創案されたもので、その目的は、読み取りが終了した原稿をステープル処理用原稿排出トレイ上で１枚ずつ整合し、さらに読み取られる原稿が長尺原稿か短尺原稿かの違いによって、原稿搬送方向の整合位置を異ならせることで原稿整合時間の短縮を図り、原稿読み取り処理効率の低下を極力抑えたステープル処理機能付きの原稿読取装置を提供することにある。
【課題を解決するための手段】
【０００７】
上記課題を解決するため、本発明の原稿読取装置は、原稿積載台に積載される原稿を１枚ずつ原稿搬送路に搬送し、前記原稿搬送路中に配置される原稿読み取り部で原稿中の画像情報を読み取った後に原稿排出部に排出する原稿搬送機構を備えた原稿読取装置において、前記原稿排出部は、通常の原稿排出トレイと、ステープル処理用原稿排出トレイと、前記両トレイへの原稿排出方向を切り換える原稿分岐爪とを有し、前記読み取りが終了した原稿の排出時にステープル処理の要否に応じて前記原稿分岐爪の切り換え方向を決定し、その決定結果に基づいて前記原稿分岐爪を切り換えることにより両トレイへの排出選択を行うことを特徴としている。
【０００８】
このように、読み取りを終了した原稿の排出先を、通常の原稿排出トレイとステープル処理用原稿排出トレイとに分離することで、ステープル無しの原稿とステープル処理された原稿束とがトレイ上で混ざってしまうことを防止することができる。これにより、ユーザが間違った原稿をピックアップしてしまうといった不具合も発生しない。
【０００９】
また、前記ステープル処理用原稿排出トレイには、原稿搬送方向下流側の端部に配置された原稿搬送方向に往復移動可能な原稿先端整合部材、原稿搬送方向上流側の端部に配置された原稿搬送方向に往復移動可能な原稿後端整合部材、原稿搬送方向に直交する左右方向の一方の端部に固定配置された固定原稿側端整合部材、前記左右方向の他方の端部に配置された左右方向に往復移動可能な上流側移動原稿側端整合部材及び下流側移動原稿側端整合部材、及びステープルユニットが配置されている。
【００１０】
そして、排出原稿が長尺原稿の場合、前記原稿先端整合部材は当該排出原稿の整合基準位置となるように位置固定されると共に、前記原稿後端整合部材は、原稿がステープル処理用原稿排出トレイに排出されるたびに、排出原稿を整合するように用紙搬送方向下流側に移動するようになっている。また、前記原稿後端整合部材によって前記排出原稿の後端を整合した後、前記上流側移動原稿側端整合部材及び下流側移動原稿側端整合部材を前記固定原稿側端整合部材の方向に移動して前記排出原稿の側端を整合するようになっている。この場合、前記原稿先端整合部材が排出原稿の整合基準位置として位置固定される位置は原稿搬送方向の最下流部である。
【００１１】
このように、長尺原稿の整合位置を用紙搬送方向の下流側とすることで、整合部材の効率良い移動が可能となり、原稿読み取り効率の高効率化と共に、整合処理効率の高効率化を図ることが可能となる。
【００１２】
一方、排出原稿が短尺原稿の場合、前記原稿後端整合部材は当該排出原稿の整合基準位置となるように位置固定されると共に、前記原稿先端整合部材は、原稿がステープル処理用原稿排出トレイに排出されるたびに、前記排出原稿を整合するように用紙搬送方向上流側に移動するようになっている。また、前記原稿先端整合部材によって前記排出原稿の先端を整合した後、前記上流側移動原稿側端整合部材を前記固定原稿側端整合部材の方向に移動して前記排出原稿の側端を整合するようになっている。この場合、前記原稿後端整合部材が排出原稿の整合基準位置として位置固定される位置は原稿搬送方向の最上流部である。
【００１３】
このように、短尺原稿の整合位置を用紙搬送方向の上流側とすることで、整合部材の効率良い移動が可能となり、原稿読み取り効率の高効率化と共に、整合処理効率の高効率化を図ることが可能となる。また、短尺原稿の整合時に、下流側の原稿先端整合部材を１枚目の整合工程時はホームポジションからの移動とし、２枚目以降の移動領域を原稿の上流側移動原稿側端整合部材が干渉しないホームポジションよりも上流側の位置からの移動とすることで、整合時間の短縮が可能となるだけでなく、排出される原稿先端のストップ部材として原稿先端整合部材を利用できるため、整合時間の短縮と共に、整合精度の向上も図ることが可能となる。
【００１４】
このように、本発明では、移動原稿側端整合部材を下流側移動原稿側端整合部材と上流側移動原稿側端整合部材に２分割し、短尺原稿の整合時には上流側移動原稿側端整合部材のみを使用し、長尺原稿の整合時には両移動原稿側端整合部材を使用することで、用紙搬送方向に移動する原稿先端整合部材及び原稿後端整合部材の移動ストロークを排出原稿サイズに合わせることが可能となり、整合時間のさらなる短縮が可能となる。
【００１５】
なお、排出原稿が短尺原稿の場合、全ての原稿が排出及び整合された後、前記原稿先端整合部材を原稿束のステープル処理位置まで原稿搬送方向下流側に移動して固定し、前記原稿後端整合部材を、整合された原稿束の後端部を押しながら原稿搬送方向下流側に移動して、固定した前記原稿先端整合部材に前記原稿束の先端部を当接させる。そして後、前記下流側移動原稿側端整合部材を前記固定原稿側端整合部材の方向に移動して前記排出原稿の側端を整合することで、その後、ステープル処理を実施する。
【発明の効果】
【００１６】
本発明の原稿読取装置によれば、長尺原稿の整合位置を用紙搬送方向の下流側とすることで、整合部材の効率良い移動が可能となり、原稿読み取り効率の高効率化と共に、整合処理効率の高効率化を図ることができる。また、短尺原稿の整合位置を用紙搬送方向の上流側とすることで、整合部材の効率良い移動が可能となり、原稿読み取り効率の高効率化と共に、整合処理効率の高効率化を図ることができる。さらに、短尺原稿の整合時に、下流側の原稿先端整合部材を１枚目の整合工程時はホームポジションからの移動とし、２枚目以降の移動領域を原稿の上流側移動原稿側端整合部材が干渉しないホームポジションよりも上流側の位置からの移動とすることで、整合時間の短縮が可能となるだけでなく、排出される原稿先端のストップ部材として原稿先端整合部材を利用することができる。さらにまた、移動原稿側端整合部材を下流側移動原稿側端整合部材と上流側移動原稿側端整合部材に２分割し、短尺原稿の整合時には上流側移動原稿側端整合部材のみを使用し、長尺原稿の整合時には両移動原稿側端整合部材を使用することで、用紙搬送方向に移動する原稿先端整合部材及び原稿後端整合部材の移動ストロークを排出原稿サイズに合わせることが可能となり、整合時間のさらなる短縮が可能となる。
【発明を実施するための最良の形態】
【００１７】
以下、本発明の実施の形態について、図面を参照して説明する。
【００１８】
図１は、本発明の実施形態に係る原稿読取装置１の概略縦断面図である。
【００１９】
この原稿読取装置１は、原稿台２に載置された原稿を、静止した状態で読み取ることができるとともに、もう１つの原稿台３上を、原稿を搬送しつつ読み取ることができるようになっている。その読み取りのために、原稿台２，３の下方には、光源４及びミラー５からなる光源ユニット６と、ミラー７，８から成るミラーユニット９と、結像レンズ１０と、ＣＣＤ読取りユニット１１とが設けられている。
【００２０】
原稿台２を使用した静止読み取り時には、この原稿台２の下方を、ミラーユニット９が速度Ｖで走査するとともに、ミラーユニット９が速度Ｖ／２で走査することで、ＣＣＤ読取りユニット１１までの光路長を一定に保持しつつ、原稿全面の画像が読み取られる。また、原稿台３を使用した移動読み取り時には、この原稿台３の下方にミラーユニット１０９が停止され、後述するように原稿が搬送されることで原稿全面の画像が読み取られる。また、原稿台２に対向して、原稿カバー１２の裏面に設けられた原稿押え板１３が配置され、原稿台３に対向して、バイアスばね１４で原稿台３側に付勢された原稿押え板１５が配置されている。
【００２１】
この原稿読取装置１における原稿搬送機構は、大別すると、相対的に上方に配置される原稿収容トレイ２１と、この原稿収容トレイ２１の下方に配置される原稿排出トレイ２２と、これらの間を接続する湾曲搬送路２３とを備えて構成されている。
【００２２】
原稿収容トレイ２１に載置された原稿Ｐは、ピックアップローラＲ１によって取り出され、サバキローラＲ２及びサバキ板１６によって１枚ずつに分離され、湾曲搬送路２３を形成する主搬送路２４に搬送される。搬送された原稿は、原稿入紙センサ（用紙長さ検出センサ）２６で原稿の搬送が確認された後、斜行による原稿の先端を揃えるとともに、規定の画像読み取りタイミングで原稿を送出するタイミングローラ（ＰＳローラ）となる駆動ローラＲ３及びこれに対を成す従動ローラＲ４を介して、原稿台３の原稿読取り部へと搬送され、原稿画像の読み取りが行われる。
【００２３】
読み取りの終了した原稿は、一対の搬送ローラＲ５，Ｒ６によって読取り部から引き出され、排出路２７を介して、可逆回転可能な一対の排出ローラＲ７，Ｒ８によって原稿排出トレイ２２上に排出される。
【００２４】
また、この原稿読取装置１では、原稿収容トレイ２１と原稿排出トレイ２２との間に、両面原稿読み取り時には中間トレイとしても機能するステープル処理用原稿排出トレイ２８が設けられるとともに、排出ローラＲ７，Ｒ８に臨んで原稿分岐爪２９が設けられており、図１において実線で示すように原稿分岐爪２９が上方に跳ね上がっていると（ホームポジション１）、排出ローラＲ７，Ｒ８から排出された原稿は原稿排出トレイ２２上に排出され、破線で示すように原稿分岐爪２９が下方に傾斜していると（ホームポジション２）、排出ローラＲ７，Ｒ８から排出された原稿は原稿分岐爪２９ですくい上げられてステープル処理用原稿排出トレイ２８上に排出される。なお、本発明の特徴でもあるステープル処理用原稿搬出トレイ２８については後ほど詳述する。
【００２５】
ステープル処理用原稿排出トレイ２８及び原稿分岐爪２９は、原稿の表裏両面の読み取り時にも利用されるものであり、排出路２７を搬送され、排出ローラＲ７，Ｒ８から排出された原稿は、このステープル処理用原稿排出トレイ２８上に排出されてゆき、その後端が排出ローラＲ７，Ｒ８で挟持された状態で一旦停止する。その後、排出ローラＲ７，Ｒ８が反転することで、原稿は副搬送路２５に進入し、この副搬送路２５から湾曲搬送路２３に合流する。このようにして、先ず原稿収容トレイ２１に載置された原稿Ｐの上面の画像が読み取られ、続いて排出路２７、排出ローラＲ７，Ｒ８、原稿分岐爪２９、ステープル処理用原稿排出トレイ２８及び副搬送路２５によってスイッチバック搬送されることで、裏面の画像が読み取られる。
【００２６】
ここで、ステープル処理を含まない従来の原稿読み取り動作について、以下に説明する。
【００２７】
−原稿読取装置１のステープル処理を含まない従来の読み取り動作の説明−
図２は、上記のように構成された原稿読取装置１におけるステープル処理を含まない片面原稿の読み取り動作を示すフローチャートである。以下、このフローチャートを参照して片面原稿の読み取り動作を説明する。
【００２８】
先ず、片面読み取り処理が選択されると、原稿分岐爪２９がホームポジション１にあるか否かの判定を行う（ステップＳ１０１）。このとき、ホームポジション１は、上記したように図１において実線で示す位置であり、読み取り後の原稿を原稿排出トレイ２２に導くための位置である。
【００２９】
ステップＳ１０１での判定の結果、原稿分岐爪２９がホームポジション１にないときは、原稿分岐爪２９をホームポジション１に移動する（ステップＳ１０９）。
【００３０】
このようにして原稿分岐爪２９の位置を決定した後、原稿給紙用のピックアップローラＲ１によって原稿は搬送され（ステップＳ１０２）、上記したように駆動ローラＲ３で一旦停止し（ステップＳ１０３）、原稿読み取りタイミングに合わせて再搬送される（ステップＳ１０４）。
【００３１】
搬送された原稿は、原稿読取り部（光源ユニット６、ミラーユニット９、結像レンズ１０、ＣＣＤ読取ユニット１１等）において読み取られる（ステップＳ１０５）。このとき、読み取られた原稿を制御部におけるメモリに入力するか否かの判定を行う（ステップＳ１０６）。この判定は、印字枚数を設定した際のシングル印字かマルチ印字かの枚数設定によって決定される。ステップＳ１０６においてメモリ入力が行われるときはマルチ印字を示し、メモリ入力を行わず、読み取った原稿の画像情報を制御部において画像処理した後に、直接、画像形成部のレーザ発光部に送信するときはシングル印字を示す。そして、シングル印字の場合（ステップＳ１０６でＮｏと判断された場合）には、読み取った原稿情報を画像処理し、レーザ発光部に送信する（ステップＳ１１０）。
【００３２】
このように画像処理が行われている間に、原稿は搬送ローラＲ５，Ｒ６を介して原稿排出方向に回転している排紙ローラＲ７，Ｒ８に搬送され、原稿分岐爪２９がホームポジション１にあることから、原稿排出トレイ２２上に排出される（ステップＳ１０７）。
【００３３】
このような原稿搬送機構及び原稿読取り部の動作によって、片面原稿の読み取りが行われる。このような片面読み取りが行われる原稿は、原稿画像が片面にしかないときと、両面にあってもユーザの読み取り要求が片面だけの指定であるときとの両方であることは、言うまでもない。
【００３４】
図３は、原稿読取装置１におけるステープル処理を含まない両面原稿の読み取り動作を示すフローチャートである。以下、このフローチャートを参照して両面原稿の読み取り動作を説明する。
【００３５】
先ず、両面読み取り処理が選択されると、両面原稿は原稿給紙用ピックアップローラＲ１によって搬送され（ステップＳ２０１）、上記したように駆動ローラＲ３で一旦停止する（ステップＳ２０２）。次に、原稿分岐爪２９がホームポジション２にあるか否かの判定を行う（ステップＳ２０３）。このとき、ホームポジション２は、図１において破線で示す位置であり、読み取り後の原稿をステープル処理用原稿排出トレイ２８に導くための位置である。
【００３６】
ステップＳ２０３での判定の結果、原稿分岐爪２９がホームポジション２にないときは、原稿分岐爪２９をホームポジション２に移動する（ステップＳ２２４）。
【００３７】
このようにして原稿分岐爪２９の位置が決定した後、原稿は原稿読み取りタイミングに合わせて再搬送される（ステップＳ２０４）。
【００３８】
搬送された原稿は、原稿読取り部において原稿の表面側の画像情報が読み取られる（ステップＳ２０５）。このとき、読み取られた表面側の画像情報は、制御部におけるメモリに入力される（ステップＳ２０６）。この場合、メモリされる表面側の画像情報は、画像処理された状態である。
【００３９】
このように画像処理及びメモリされる間に、原稿は搬送ローラＲ５，Ｒ６を介して原稿排出方向に回転している排紙ローラＲ７，Ｒ８に搬送され、原稿分岐爪２９がホームポジション２にあることから、ステープル処理用原稿排出トレイ２８に導かれる（ステップＳ２０７）。ステープル処理用原稿排出トレイ２８に導かれた原稿は、原稿搬送方向の後端を排紙ローラＲ７，Ｒ８に挟まれた状態で一旦停止する（ステップＳ２０８）。以上が表面側の読み取り用搬送工程である。
【００４０】
その後、排紙ローラＲ７，Ｒ８がステップＳ２０７における回転方向とは逆の回転を行うことによって、原稿は副搬送路２５を介して搬送される（ステップＳ２０９）。搬送された原稿は、駆動ローラＲ３で一旦停止し（ステップＳ２１０）、原稿読み取りタイミングに合わせて再搬送される（ステップＳ２１１）。 搬送された原稿は、原稿読取り部において、裏面側の画像情報が読み取られる（ステップＳ２１２）。このとき、読み取られた裏面の画像情報は、制御部において画像処理した後に画像形成部のレーザ発光部に送信される（ステップＳ２１３）。
【００４１】
このように画像処理及び送信が行われている間に、原稿は搬送ローラＲ５，Ｒ６を介して再び原稿排出方向に回転している排紙ローラＲ７，Ｒ８に搬送され、原稿分岐爪２９がホームポジション２にあることから、ステープル処理用原稿排出トレイ２８に導かれる（ステップＳ２１４）。ステープル処理用原稿排出トレイ２８に導かれた原稿は、原稿搬送方向の後端を排紙ローラＲ７，Ｒ８に挟まれた状態で一旦停止する（ステップＳ２１５）。以上が裏面の読み取り搬送工程である。
【００４２】
この後、一旦停止した原稿は、排紙ローラＲ７，Ｒ８がステップＳ２１４における回転方向とは逆の回転を行うことによって、副搬送路２５を介して搬送される（ステップＳ２１６）。このようにして搬送された原稿は、原稿入紙センサ１２６によって、通過原稿の後端がこの原稿入紙センサ２６を通過したか否かの判定が行われる（ステップＳ２１７）。このとき、原稿後端が通過し、さらに次原稿がある場合（ステップＳ２１８でＹｅｓと判断される場合）には、次原稿は原稿給紙用ピックアップローラＲ１によって搬送され（ステップＳ２１９）、駆動ローラＲ３で一旦停止した状態で（ステップＳ２２０）、読み取りタイミングが来るまで待機する。このように、次原稿の搬送中においても、表裏を読み取られた後の原稿は、搬送路を搬送される。
【００４３】
このように搬送される原稿が入紙センサ２６を通過すると、原稿分岐爪２９がホームポジション１にあるか否かの判定を行う（ステップＳ２２１）。このとき、原稿分岐爪２９はステップＳ２０３においてホームポジション２に配置された状態であるため、ホームポジション１に移動する（ステップＳ２２５）。
【００４４】
このようにして原稿分岐爪２９の位置が決定される。この間においても原稿は搬送され、搬送ローラＲ５，Ｒ６を介して排紙ローラＲ７，Ｒ８に搬送され、原稿排出用の回転と原稿分岐爪２９の位置とによって、原稿排紙トレイ２２上に排出される（ステップＳ２２３）。この場合、上記したように駆動ローラＲ３で一旦待機している次原稿は、読み取りが終了している通過原稿が原稿読取り部を通過したことを確認すると（ステップＳ２２２）、再度搬送され、この次原稿の読み取りが実行される。以上が原稿の空搬送工程である。
【００４５】
このような原稿搬送動作及び原稿読取り部の動作によって、両面原稿の読み取りが行われる。
【００４６】
−本発明の特徴であるステープル処理用原稿排出トレイ２８部分の説明−
本実施形態の原稿読取装置１では、ステープル処理用原稿排出トレイ２８にステープルユニット６０を配置し、読み取りが終了した原稿にステープル処理を行うことができるようになっている。
【００４７】
以下、図１に示す原稿読取装置１の概略断面図、及び図４に示すステープル処理用原稿排出トレイ２８の概略平面図を参照して、ステープルユニット６０の配置構成及びステープル処理用原稿排出トレイ２８の構成について説明する。
【００４８】
本実施形態の原稿読取装置１では、上記動作説明の通り、原稿収容トレイ２１に積載された原稿は湾曲搬送路２３を介して光学ユニット部で原稿中の画像情報が読み取られた後、原稿排出トレイ２２上に排出される。このとき、原稿読み取り要求時に、ステープル処理が不要な原稿は、原稿分岐爪２９をホームポジション１側に切り換えることによって、通常の原稿排出トレイ２２に排出されるが、読み取り要求時にステープル処理が必要とされる原稿は、原稿分岐爪２９をホームポジション２側に切り換えることによって、ステープル処理用原稿排出トレイ２８に排出される。
【００４９】
図４に示すように、ステープル処理用原稿排出トレイ２８には、原稿搬送方向Ｘの下流側の端部に原稿先端整合部材５１が配置され、原稿搬送方向Ｘの上流側の端部に原稿後端整合部材５２が配置されている。また、原稿搬送方向Ｘに直交する左右方向の一方の端部（図４では下側）に固定原稿側端整合部材５３が配置され、左右方向の他方の端部（図４では上側の端部）に上流側移動原稿側端整合部材５４Ａ及び下流側移動原稿側端整合部材５４Ｂが２分割された状態で配置されている。また、ステープル処理用原稿排出トレイ２８の原稿搬送方向Ｘ下流側の一方の隅部（図４では左下隅部）にステープルユニット６０が配置されている。
【００５０】
原稿先端整合部材５１は、原稿搬送方向Ｘの下流側の端部である長尺原稿の整合基準位置（ホームポジション）から、原稿搬送方向Ｘの上流側に向かって往復移動可能に設けられており、原稿後端整合部材５２は、原稿搬送方向Ｘの上流側の端部である短尺原稿の整合基準位置（ホームポジション）から、原稿搬送方向Ｘの下流側に向かって往復移動可能に設けられている。
【００５１】
また、固定原稿側端整合部材５３は、ステープル処理用原稿排出トレイ２８の一方の端部である排出原稿の側端整合位置に固定配置されており、上流側移動原稿側端整合部材５４Ａ及び下流側移動原稿側端整合部材５４Ｂは、原稿搬送方向Ｘに直交する左右方向の一方の端部（図４では上側）から他方の端部（図４では下側）に向かって、それぞれ個別に往復移動可能に設けられている。
【００５２】
なお、図４では、これら整合部材を往復移動させるための機構構造の詳細については図示していないが、従来周知の種々のスライド機構構造を適用することが可能である。
【００５３】
原稿分岐爪２９は、読み取り終了後の原稿へのステープル処理の有無に応じて、図１中の上方に移動（ホームポジション１）しているときは排出原稿を通常の原稿排出トレイ２２に排出し、図１中の下方に移動（ホームポジション２）しているときは排出原稿をステープル処理用原稿排出トレイ２８に排出する。
【００５４】
このようにして、排出される原稿がステープル処理用排出トレイ２８に導かれると、原稿のサイズに応じて、各整合部材５１，５２，５４Ａ，５４Ｂが移動し、用紙搬送方向Ｘに沿う前後方向、及び用紙搬送方向Ｘに直交する左右方向の２方向において排出原稿の１枚ずつを整合する。この場合、読み取り原稿が長尺原稿の場合は、原稿先端整合部材５１が位置している原稿搬送方向Ｘの下流側端部の位置（図４中実線で示す位置）が整合基準位置となり、読み取り原稿が短尺原稿の場合は、原稿後端整合部材５２が位置している原稿搬送方向Ｘの上流側端部の位置（図４中に実線で示す位置）が整合基準位置となる。このように、読み取り原稿のサイズの種類（長尺原稿か短尺原稿か）に応じて整合基準位置を変えることで、整合に時間をかけず、かつ、原稿読み取り効率の向上を図っている。
【００５５】
次に、上記構成の原稿読取装置１において、（１）読み取った短尺原稿をステープル処理する動作、（２）読み取った長尺原稿をステープル処理する動作について、それぞれ図５に示すフローチャート及び図６に示すフローチャートを参照して説明する。
【００５６】
（１）読み取った短尺原稿をステープル処理する動作の説明
まず、原稿読取装置１に原稿読み取り要求がなされると（ステップＳ３０１）、原稿読取装置１は原稿読み取り部に配置される光源４への通電を行い（ステップＳ３０２）、光源４の照射光量が所定の光量に成っていることを確認後（ステップＳ３０３）、短尺原稿が原稿収容トレイ２１に積載されていることを確認し（ステップＳ３０４）、次に、原稿読み取り条件に基づいて、原稿読み取り後の短尺原稿にステープル処理が必要か否かの確認を行う（ステップＳ３０５）。
【００５７】
このステップＳ３０５の処理で、ステープル処理が必要な場合（ステップＳ３０５でＹｅｓと判断された場合）は、以下の手順でステープル処理を施す。すなわち、まず、原稿収容トレイ２１から短尺原稿を搬送し（ステップＳ３１０）、光学ユニット部を用いて原稿の読み取り処理を行う（ステップＳ３１１）。読み取り処理が終了した原稿は、ホームポジション２に位置している原稿分岐爪２９によってステープル処理用原稿排出トレイ２８に排出される（ステップＳ３１２）。なお、このステップＳ３１０〜ステップＳ３１２の処理は、実質的に図２に示すステップＳ５０１〜５１０の処理、または図３に示すステップＳ６０１〜６２３の処理に該当している。
【００５８】
ステープル処理用原稿排紙トレイ２８に排出された短尺原稿は、原稿の後端が、整合基準位置に位置している原稿後端整合部材５２に押し当てられることによって、原稿搬送方向Ｘへの整合（すなわち、前後方向の整合）が行われる（ステップＳ３１３）。このときに整合部材として用いるのが原稿先端整合部材５１であり、原稿先端整合部材５１は、ステープル処理用原稿排紙トレイ２８上を原稿後端整合部材５２の方向に移動して、排出された短尺原稿の先端に当接し、この当接状態で短尺原稿を原稿後端整合部材５２の方向に押して、短尺原稿の後端を原稿後端整合部材５２に当接させる。
【００５９】
このようにして、排出された短尺原稿の後端の整合が終了すると、次に、上流側移動原稿側端整合部材５４Ａが固定原稿側端整合部材５３の方向に移動して、短尺原稿の一方の側端部に当接し、この当接状態で短尺原稿を固定原稿側端整合部材５３の方向に押して、短尺原稿の他方の側端部を固定原稿側端整合部材５３に当接させる（ステップＳ３１４）。これにより、排出された短尺原稿の他方の側端部の整合（すなわち、左右方向の整合）が終了する。
【００６０】
このとき、図５のフローチャートには記載していないが、短尺原稿の後端の整合が終了すると、原稿先端整合部材５１は、用紙搬送方向Ｘの下流側に向かって所定の距離だけ移動して停止する（この停止位置を、図４中二点鎖線で示す）。つまり、最初の位置である用紙搬送方向Ｘの下流側端部までは移動しない。このように移動することで、上流側移動原稿側端整合部材５４Ａが移動するときに、原稿先端整合部材５１との衝突を回避することができる。また、次の排出原稿がステープル処理用原稿排出トレイ２８上に排出されたとき、この排出原稿の先端部を原稿先端整合部材５１で受け止めることができるため、次の動作（すなわち、原稿先端整合部材５１が短尺原稿を原稿後端整合部材５２の方向に押して、短尺原稿の後端を原稿後端整合部材５２に当接させる動作）において、原稿先端整合部材５１の移動量を少なくすることができる。これにより、排出される２枚目以降の短尺原稿の整合動作時間を短縮することができ、原稿読み取り処理効率の向上にも繋がることになる。
【００６１】
このようにして、２枚目以降の短尺原稿について、ステップＳ３１５〜ステップＳ３２０の処理が繰り返される。なお、ステップＳ３１５〜ステップＳ３１９の処理は、原稿先端整合部材５１の移動距離が、１枚目の短尺原稿のときの移動距離より短くなることを除いて、上記ステップＳ３１０〜ステップＳ３１４の処理と同じである。
【００６２】
そして、次の読み取り原稿がなくなると（ステップＳ３２０でＮｏと判断されると）、ステープル処理に移行するため、原稿先端整合部材５１を最初の位置である用紙搬送方向Ｘの下流側端部まで移動する（ステップＳ３２１）。そして、原稿先端整合部材５１が用紙搬送方向Ｘの下流側端部まで移動復帰したことを確認すると（ステップＳ３２２でＹｅｓと判断されると）、次に、原稿後端整合部材５２が、整合された短尺原稿束の後端を押しつつ原稿先端整合部材５１の方向に移動し、短尺原稿束の先端が原稿先端整合部材５１に当接するまで移動する（ステップＳ３２３）。短尺原稿束の先端が原稿先端整合部材５１に当接すると、次に、下流側移動原稿側端整合部材５４Ｂが固定原稿側端整合部材５３の方向に移動し、短尺原稿束の他方の側端部が固定原稿側端整合部材５３に当接するように、短尺原稿束の一方の側端部を押す（ステップＳ３２４）。この一連の動作によって、原稿束はステープルユニット６０の位置に整合されるので、この状態でステープル処理を行う（ステップＳ３２５）。ステープル処理の終了後、下流側移動原稿側端整合部材５４Ｂ及び原稿先端整合部材５１をそれぞれ元の位置に移動する（ステップＳ３２６）。
【００６３】
以上の動作によって、原稿読み取り後の短尺原稿束のステープル処理を終了する。このように、短尺原稿の場合は、各々の整合部材５１，５２，５４Ａ，５４Ｂを必要に応じて個別に移動させることで、整合時間の短縮を図っている。
【００６４】
なお、ステップＳ３０５の処理で、ステープル処理が不要な場合（ステップＳ３０５でＮｏと判断された場合）は、原稿の読み取りが終了した原稿は通常の原稿排紙トレイ２２に排出される（ステップＳ３０６〜ステップＳ３０９）。なお、このステップＳ３０６〜ステップＳ３０９の処理は、実質的に図２に示すステップＳ５０１〜５１０の処理、または図３に示すステップＳ６０１〜６２３の処理に該当している。
【００６５】
（２）読み取った長尺原稿をステープル処理する動作の説明
まず、原稿読取装置１に原稿読み取り要求がなされると（ステップＳ４０１）、原稿読取装置１は原稿読み取り部に配置される光源４への通電を行い（ステップＳ４０２）、光源４の照射光量が所定の光量に成っていることを確認後（ステップＳ４０３）、長尺原稿が原稿収容トレイ２１に積載されていることを確認し（ステップＳ４０４）、次に、原稿読み取り条件に基づいて、原稿読み取り後の長尺原稿にステープル処理が必要か否かの確認を行う（ステップＳ４０５）。
【００６６】
このステップＳ４０５の処理で、ステープル処理が必要な場合（ステップＳ４０５でＹｅｓと判断された場合）は、以下の手順でステープル処理を施す。すなわち、まず、原稿収容トレイ２１から長尺原稿を搬送し（ステップＳ４１０）、光学ユニット部を用いて原稿の読み取り処理を行う（ステップＳ４１１）。読み取り処理が終了した原稿は、ホームポジション２に位置している原稿分岐爪２９によってステープル処理用原稿排出トレイ２８に排出される（ステップＳ４１２）。なお、このステップＳ４１０〜ステップＳ４１２の処理は、実質的に図２に示すステップＳ５０１〜５１０の処理、または図３に示すステップＳ６０１〜６２３の処理に該当している。
【００６７】
ステープル処理用原稿排紙トレイ２８に排出された長尺原稿は、原稿の先端が、整合基準位置に位置している原稿先端整合部材５１に押し当てられることによって、原稿搬送方向Ｘへの整合（すなわち、前後方向の整合）が行われる（ステップＳ４１３）。このときに整合部材として用いるのが原稿後端整合部材５２であり、原稿後端整合部材５２は、ステープル処理用原稿排紙トレイ２８上を原稿先端整合部材５１の方向に移動して、排出された長尺原稿の後端に当接し、この当接状態で長尺原稿を原稿先端整合部材５１の方向に押して、長尺原稿の先端を原稿先端整合部材５１に当接させる。
【００６８】
このようにして、排出された長尺原稿の先端の整合が終了すると、次に、上流側移動原稿側端整合部材５４Ａ及び下流側移動原稿側端整合部材５４Ｂの両方が固定原稿側端整合部材５３の方向に移動して、長尺原稿の一方の側端部に当接し、この当接状態で長尺原稿を固定原稿側端整合部材５３の方向に押して、長尺原稿の他方の側端部を固定原稿側端整合部材５３に当接させる（ステップＳ４１４）。これにより、排出された長尺原稿の他方の側端部の整合（すなわち、左右方向の整合）が終了する。
【００６９】
このとき、図６のフローチャートには記載していないが、長尺原稿の先端の整合が終了すると、原稿後端整合部材５２は、用紙搬送方向Ｘの上流側に向かって元の位置まで移動し停止する。
【００７０】
このようにして、２枚目以降の長尺原稿についても、ステップＳ４１５〜ステップＳ４２０の処理が繰り返される。なお、ステップＳ４１５〜ステップＳ４１９の処理は、上記したステップＳ４１０〜ステップＳ４１４の処理と同じである。
【００７１】
そして、次の読み取り原稿がなくなると（ステップＳ４２０でＮｏと判断されると）、ステープル処理に移行するため、原稿後端整合部材５２を原稿先端整合部材５１の方向に移動して、長尺原稿束の後端に当接し、この当接状態で長尺原稿束を原稿先端整合部材５１の方向に押して、長尺原稿束の先端を原稿先端整合部材５１に当接させる（ステップＳ４２１）。次に、下流側移動原稿側端整合部材５４Ｂを固定原稿側端整合部材５３の方向に移動し、長尺原稿束の他方の側端部が固定原稿側端整合部材５３に当接するように、長尺原稿束の一方の側端部を押す（ステップＳ４２２）。この一連の動作によって、ステープルユニット６０の位置に長尺原稿束が整合されるので、この状態でステープル処理を行い（ステップＳ４２３）、ステープル処理の終了後、下流側移動原稿側端整合部材５４Ｂ及び原稿先端整合部材５１をそれぞれ元の位置に移動する（ステップＳ４２４）。
【００７２】
以上の動作によって、長尺原稿のステープル処理を終了する。
【００７３】
なお、ステップＳ４０５の処理で、ステープル処理が不要な場合（ステップＳ４０５でＮｏと判断された場合）は、原稿の読み取りが終了した原稿は通常の原稿排紙トレイ２２に排出される（ステップＳ４０６〜ステップＳ４０９）。なお、このステップＳ４０６〜ステップＳ４０９の処理は、実質的に図２に示すステップＳ５０１〜５１０の処理、または図３に示すステップＳ６０１〜６２３の処理に該当している。
【図面の簡単な説明】
【００７４】
【図１】本発明に係る原稿読取装置の概略縦断面図である。
【図２】本発明に係る原稿読取装置におけるステープル処理を含まない片面原稿の読み取り動作を示すフローチャートである。
【図３】本発明に係る原稿読取装置におけるステープル処理を含まない両面原稿の読み取り動作を示すフローチャートである。
【図４】ステープル処理用原稿排出トレイの概略平面図である。
【図５】読み取った短尺原稿をステープル処理する動作を示すフローチャートである。
【図６】読み取った長尺原稿をステープル処理する動作を示すフローチャートである。
【符号の説明】
【００７５】
１  原稿読取装置
２１  原稿収容トレイ
２２  原稿排出トレイ
２３  湾曲搬送路
２４  主搬送路
２５  副搬送路
２６  原稿入紙センサ
２７  排出路
２８  ステープル処理用原稿排出トレイ
２９  原稿分岐爪
５１  原稿先端整合部材
５２  原稿後端整合部材
５３  固定原稿側端整合部材
５４Ａ  上流側移動原稿側端整合部材
５４Ｂ  下流側移動原稿側端整合部材
６０  ステープルユニット
Ｒ１  ピックアップローラ
Ｒ２  サバキローラ
Ｒ３  駆動ローラ
Ｒ４  従動ローラ
Ｒ５，Ｒ６  搬送ローラ
Ｒ７，Ｒ８  排出ローラ
Ｒ１１  呼込みローラ
【図１】
2009005277.tif 000003
【図２】
2009005277.tif 000004
【図３】
2009005277.tif 000005
【図４】
2009005277.tif 000006
【図５】
2009005277.tif 000007
【図６】
2009005277.tif 000008